(57)【要約】  本発明の実施形態は、チャネル推定方法、基地局、ユーザ機器ＵＥ、およびシステムに関する。当該方法は、ユーザ機器ＵＥへの接続を基地局が構築する段階と、ＵＥが無線リモートシナリオにあることを示す通知情報をＵＥに送信する段階であって、通知情報は、無線リモートシナリオに適用可能なチャネル推定アルゴリズムを使用することによってチャネル推定を実行するようＵＥに命令するために使用され、チャネル推定アルゴリズムは、複数の無線リモートユニットＲＲＵからのダウンリンク信号が重ね合わされた後に取得される信号に対してチャネル推定を実行するために使用される、段階とを備える。ＵＥは、適切なチャネル推定アルゴリズムを使用することによってチャネル推定を実行して、チャネル推定の精度を効果的に改善し、それによりＵＥのダウンリンクデータスループットを効果的に改善できる。
2018526893.tif 000002
【特許請求の範囲】
【請求項１】
情報送信方法であって、
ユーザ機器ＵＥへの接続を基地局が構築する段階と、
前記ＵＥが無線リモートシナリオにあることを示す通知情報を前記ＵＥに送信する段階であって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニットＲＲＵからのダウンリンク信号が重ね合わされた後に取得される信号に対してチャネル推定を実行するために使用される、段階と
を備える方法。
【請求項２】
複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項１に記載の方法。
【請求項３】
前記ＵＥが無線リモートシナリオにあることを示す通知情報を前記ＵＥに送信する前記段階は、
無線リソース制御ＲＲＣ専用シグナリングを前記ＵＥに送信する段階であって、前記ＲＲＣ専用シグナリングにおける第１のインジケータビットは、前記ＵＥが前記無線リモートシナリオにあることを示すために使用される、段階、または、
システムメッセージを前記ＵＥに送信する段階であって、前記システムメッセージにおける第２のインジケータビットは、前記ＵＥが前記無線リモートシナリオにあることを示すために使用される、段階、または、
システムメッセージを前記ＵＥに送信する段階であって、前記システムメッセージは、無線リモートカバレッジセルのセル識別情報を保持する、段階
を含む、請求項１または２に記載の方法。
【請求項４】
前記ＵＥが無線リモートシナリオにあることを示す通知情報を前記ＵＥに送信する前記段階の前に、
前記ＵＥが高速移動状態にあると決定する段階
をさらに備える、請求項１から３のいずれか一項に記載の方法。
【請求項５】
チャネル推定方法であって、
通知情報をユーザ機器ＵＥが受信する段階であって、前記通知情報は、前記ＵＥが無線リモートシナリオにあることを示す、段階と、
前記通知情報にしたがって、前記無線リモートシナリオに適用可能なチャネル推定アルゴリズムを使用することによってチャネル推定を実行する段階であって、前記チャネル推定アルゴリズムは、複数の無線リモートユニットＲＲＵからのダウンリンク信号が重ね合わされた後に取得される信号に対してチャネル推定を実行するために使用される、段階と
を備える方法。
【請求項６】
複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項５に記載の方法。
【請求項７】
通知情報をＵＥが受信する前記段階であって、前記通知情報は、前記ＵＥが無線リモートシナリオにあることを示す、前記段階は、
無線リソース制御ＲＲＣ専用シグナリングを前記ＵＥが受信する段階であって、前記ＲＲＣ専用シグナリングにおける第１のインジケータビットは、前記ＵＥが前記無線リモートシナリオにあることを示すために使用される、段階、または、
システムメッセージを前記ＵＥが受信する段階であって、前記システムメッセージにおける第２のインジケータビットは、前記ＵＥが前記無線リモートシナリオにあることを示すために使用される、段階、または、
システムメッセージを前記ＵＥが受信する段階であって、前記システムメッセージは、無線リモートカバレッジセルのセル識別情報を保持する、段階
を含む、請求項５または６に記載の方法。
【請求項８】
基地局であって、
ユーザ機器ＵＥへの接続を構築するように送信ユニットを制御するよう構成される処理ユニットと、
さらに、前記ＵＥが無線リモートシナリオにあることを示す通知情報を前記ＵＥに送信するよう構成される前記送信ユニットであって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニットＲＲＵからのダウンリンク信号が重ね合わされた後に取得される信号に対してチャネル推定を実行するために使用される、前記送信ユニットと
を備える基地局。
【請求項９】
前記送信ユニットによって示される、複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項８に記載の基地局。
【請求項１０】
前記送信ユニットは具体的に、
無線リソース制御ＲＲＣ専用シグナリングであって、前記ＲＲＣ専用シグナリングにおける第１のインジケータビットは、前記ＵＥが前記無線リモートシナリオにあることを示すために使用される、ＲＲＣ専用シグナリングを前記ＵＥに送信する、または、
システムメッセージであって、前記システムメッセージにおける第２のインジケータビットは、前記ＵＥが前記無線リモートシナリオにあることを示すために使用される、システムメッセージを前記ＵＥに送信する、または、
無線リモートカバレッジセルのセル識別情報を保持するシステムメッセージを前記ＵＥに送信するよう構成される、請求項８または９に記載の基地局。
【請求項１１】
前記処理ユニットはさらに、前記ＵＥが前記無線リモートシナリオにあることを示す前記通知情報を前記送信ユニットが前記ＵＥに送信する前に、前記ＵＥが高速移動状態にあると決定するよう構成される、請求項８から１０のいずれか一項に記載の基地局。
【請求項１２】
ユーザ機器ＵＥであって、
通知情報を受信するよう構成される受信ユニットであって、前記通知情報は、前記ＵＥが無線リモートシナリオにあることを示す、受信ユニットと、
前記受信ユニットによって受信された前記通知情報にしたがって、前記無線リモートシナリオに適用可能なチャネル推定アルゴリズムを使用することによってチャネル推定を実行するよう構成される処理ユニットであって、前記チャネル推定アルゴリズムは、複数の無線リモートユニットＲＲＵからのダウンリンク信号が重ね合わされた後に取得される信号に対してチャネル推定を実行するために使用される、処理ユニットと
を備えるＵＥ。
【請求項１３】
前記処理ユニットは具体的に、前記複数のＲＲＵの各々からのダウンリンク信号の遅延およびドップラーシフトを決定することと、前記遅延および前記ドップラーシフトにしたがって各ＲＲＵの前記ダウンリンク信号に対して遅延および周波数の補償を実行することと、補償された信号のウィーナー係数を決定し、前記ウィーナー係数を使用することによってチャネル推定を実行することとを行うよう構成される、請求項１２に記載のＵＥ。
【請求項１４】
前記受信ユニットは具体的に、無線リソース制御（ＲＲＣ）専用シグナリングであって、前記ＲＲＣ専用シグナリングにおける第１のインジケータビットは、前記ＵＥが前記無線リモートシナリオにあることを示すために使用される、ＲＲＣ専用シグナリングを受信する、
または、システムメッセージであって、前記システムメッセージにおける第２のインジケータビットは、前記ＵＥが前記無線リモートシナリオにあることを示すために使用される、システムメッセージを受信する、または、
無線リモートカバレッジセルのセル識別情報を保持するシステムメッセージを受信するよう構成される、請求項１２または１３に記載のＵＥ。
【請求項１５】
通信システムであって、
ユーザ機器ＵＥへの接続を構築し、前記ＵＥが無線リモートシナリオにあることを示す通知情報を前記ＵＥに送信するよう構成される基地局であって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニットＲＲＵからのダウンリンク信号が重ね合わされた後に取得される信号に対してチャネル推定を実行するために使用される、基地局と、
前記ＵＥが前記無線リモートシナリオにあることを示す前記通知情報を前記基地局から受信することと、前記通知情報にしたがって、前記無線リモートシナリオに適用可能な前記チャネル推定アルゴリズムであって、前記複数のＲＲＵからの前記ダウンリンク信号が重ね合わされた後に取得される前記信号に対してチャネル推定を実行するために使用される前記チャネル推定アルゴリズムを使用することによってチャネル推定を実行することとを行うよう構成される前記ＵＥと、
を備えるシステム。
【請求項１６】
前記ＵＥは具体的に、前記複数のＲＲＵの各々からのダウンリンク信号の遅延およびドップラーシフトを決定することと、前記遅延および前記ドップラーシフトにしたがって各ＲＲＵの前記ダウンリンク信号に対して遅延および周波数の補償を実行することと、補償された信号のウィーナー係数を決定し、前記ウィーナー係数を使用することによってチャネル推定を実行することとを行うよう構成される、請求項１５に記載のシステム。
【請求項１７】
前記基地局は具体的に、無線リソース制御ＲＲＣ専用シグナリングであって、前記ＲＲＣ専用シグナリングにおける第１のインジケータビットは、前記ＵＥが前記無線リモートシナリオにあることを示すために使用される、ＲＲＣ専用シグナリングを前記ＵＥに送信する、または、
システムメッセージであって、前記システムメッセージにおける第２のインジケータビットは、前記ＵＥが前記無線リモートシナリオにあることを示すために使用される、システムメッセージを前記ＵＥに送信する、または、
無線リモートカバレッジセルのセル識別情報を保持するシステムメッセージを前記ＵＥに送信するよう構成される、請求項１５または１６記載のシステム。
【請求項１８】
前記基地局はさらに、前記ＵＥが前記無線リモートシナリオにあることを示す前記通知情報を前記ＵＥに送信する前に、前記ＵＥが高速移動状態にあると決定するよう構成される、請求項１５から１７のいずれか一項に記載のシステム。
【発明の詳細な説明】
【技術分野】
【０００１】
本発明はモバイル通信分野に関し、具体的には、チャネル推定方法、基地局、ユーザ機器（Ｕｓｅｒ  Ｅｑｕｉｐｍｅｎｔ、ＵＥ）、およびシステムに関する。
【背景技術】
【０００２】
科学技術が発展するにつれて、ユーザは、高速のシナリオにおいて通信を実行することをますます要求している。例えば、ユーザは、走行中の高速列車において通信を実行する。ＵＥが高速移動状態で通信を実行するとき、例えば、スループット率が低い、ハンドオーバが頻繁に生じる、ハンドオーバ失敗率が高い、および無線リンク失敗率が高い、といった複数の問題が生じる。
【０００３】
従来技術では、高速鉄道モバイル通信における頻繁なハンドオーバおよび低いスループットなどの問題に対し、解決手段は帯状トポロジを使用することである。すなわち、ベースバンド処理ユニット（Ｂａｓｅ  Ｂａｎｄ  Ｕｎｉｔ、ＢＢＵ）に複数の無線リモートユニット（Ｒａｄｉｏ  Ｒｅｍｏｔｅ  Ｕｎｉｔ、ＲＲＵ）が取り付けられ、ＲＲＵは、線路に沿って配置される。説明しやすくするために、そのようなトポロジにおける通信シナリオは、無線リモートシナリオと称される。無線リモートシナリオにおいて、複数のＲＲＵは同一の物理セルに属し、同一のセル識別情報（ｉｄｅｎｔｉｔｙ、ＩＤ）を共有し、セル内のＵＥに同時にサービスを提供し、同一の無線信号を送信する。ＵＥ側の視点からみると、セルの半径が大幅に拡大され、高速移動プロセスにおけるＵＥのハンドオーバ数が効果的に低減され、ネットワークハンドオーバシグナリングオーバヘッドが低減され、ハンドオーバ失敗率が下がる。加えて、複数のＲＲＵはＵＥに対してダウンリンク信号を同時に送信するので、ＵＥ側で受信される信号の信号対干渉ノイズ比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）も大きく改善される。
【０００４】
無線リモート配備がハンドオーバ数を効果的に低減でき、ＵＥによって受信される信号のＳＩＮＲを改善できる。しかしながら、上述の無線リモートシナリオにおいて、複数のＲＲＵはＵＥのためにダウンリンク信号を同時に送信するので、ＵＥによって受信される信号は比較的複雑であり、チャネル推定結果は極めて不満足なものであり、ＵＥのダウンリンクデータスループットに影響を及ぼす。
【発明の概要】
【０００５】
本発明の実施形態が、チャネル推定方法、装置、およびシステムを提供してチャネル推定の精度を効果的に改善し、それによりＵＥのダウンリンクデータスループットを効果的に改善する。
【０００６】
第１態様によると、情報送信方法が提供される。当該方法は、ＵＥへの接続を基地局が構築する段階と、ＵＥが無線リモートシナリオにあるということを示す通知情報をＵＥに送信する段階であって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用される段階とを備える。
【０００７】
第１態様に関連して、第１態様の第１の考えられる実装例において、複数のＲＲＵからのダウンリンク信号が重ね合わされた後に取得される信号に対してチャネル推定を実行することは、複数のＲＲＵの各々からのダウンリンク信号の遅延およびドップラーシフトを決定することと、遅延およびドップラーシフトにしたがって、各ＲＲＵのダウンリンク信号に対して遅延および周波数の補償を実行することと、補償された信号のウィーナー係数を決定し、ウィーナー係数を使用することによってチャネル推定を実行することとを含む。
【０００８】
第１態様、または第１態様の第１の考えられる実装例に関連して、第１態様の第２の考えられる実装例において、ＵＥが無線リモートシナリオにあることを示す通知情報をＵＥに送信する段階は、無線リソース制御（Ｒａｄｉｏ  Ｒｅｓｏｕｒｃｅ  Ｃｏｎｔｒｏｌ、ＲＲＣ）専用シグナリングをＵＥに送信する段階であって、ＲＲＣ専用シグナリングにおける第１のインジケータビットは、ＵＥが無線リモートシナリオにあることを示すために使用される、段階、または、システムメッセージをＵＥに送信する段階であって、システムメッセージにおける第２のインジケータビットは、ＵＥが無線リモートシナリオにあることを示すために使用される、段階、または、システムメッセージをＵＥに送信する段階であって、システムメッセージは、無線リモートカバレッジセルのセル識別情報を保持する、段階を含む。
【０００９】
第１態様、または第１態様の第１もしくは第２の考えられる実装例に関連して、第１態様の第３の考えられる実装例において、ＵＥが無線リモートシナリオにあることを示す通知情報をＵＥに送信する段階の前に、当該方法はさらに、ＵＥが高速移動状態にあると決定する段階を備える。
【００１０】
第２態様によると、チャネル推定方法が提供される。当該方法は、通知情報をＵＥが受信する段階であって、通知情報は、ＵＥが無線リモートシナリオにあることを示す、段階と、通知情報にしたがって、無線リモートシナリオに適用可能なチャネル推定アルゴリズムを使用することによってチャネル推定を実行する段階であって、チャネル推定アルゴリズムは、複数のＲＲＵからのダウンリンク信号が重ね合わされた後に取得される信号に対してチャネル推定を実行するために使用される、段階とを備える。
【００１１】
第２態様に関連して、第２態様の第１の考えられる実装例において、複数のＲＲＵからのダウンリンク信号が重ね合わされた後に取得される信号に対してチャネル推定を実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【００１２】
第２態様、または第２態様の第１の考えられる実装例に関連して、第２態様の第２の考えられる実装例において、通知情報をＵＥが受信する段階であって、通知情報は、ＵＥが無線リモートシナリオにあることを示す、段階は、ＲＲＣ専用シグナリングをＵＥが受信する段階であって、ＲＲＣ専用シグナリングにおける第１のインジケータビットは、ＵＥが無線リモートシナリオにあることを示すために使用される、段階、または、システムメッセージをＵＥによって受信する段階であって、システムメッセージにおける第２のインジケータビットは、ＵＥが無線リモートシナリオにあることを示すために使用される、段階、または、システムメッセージをＵＥが受信する段階であって、システムメッセージは、無線リモートカバレッジセルのセル識別情報を保持する、段階を有する。
【００１３】
第３態様によると、基地局が提供される。基地局は、ＵＥへの接続を構築するように送信ユニットを制御するよう構成される処理ユニットと、さらに、ＵＥが無線リモートシナリオにあることを示す通知情報をＵＥに送信するよう構成される送信ユニットであって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用する、送信ユニットとを備える。
【００１４】
第３態様に関連して、第３態様の第１の考えられる実装例において、送信ユニットによって示される、複数のＲＲＵからのダウンリンク信号が重ね合わされた後に取得される信号に対してチャネル推定を実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【００１５】
第３態様、または第３態様の第１の考えられる実装例に関連して、第３態様の第２の考えられる実装例において、送信ユニットは具体的に、ＲＲＣ専用シグナリングであって、ＲＲＣ専用シグナリングにおける第１のインジケータビットは、ＵＥが無線リモートシナリオにあることを示すために使用される、ＲＲＣ専用シグナリングをＵＥに送信する、または、システムメッセージであって、システムメッセージにおける第２のインジケータビットは、ＵＥが無線リモートシナリオにあることを示すために使用される、システムメッセージをＵＥに送信する、または、無線リモートカバレッジセルのセル識別情報を保持するシステムメッセージをＵＥに送信するよう構成される。
【００１６】
第３態様、または第３態様の第１もしくは第２の考えられる実装例に関連して、第３態様の第３の考えられる実装例において、処理ユニットはさらに、ＵＥが無線リモートシナリオにあることを示す通知情報を送信ユニットがＵＥに送信する前に、ＵＥが高速移動状態にあると決定するよう構成される。
【００１７】
第４態様によると、ＵＥが提供される。ＵＥは、通知情報を受信するよう構成される受信ユニットであって、通知情報は、ＵＥが無線リモートシナリオにあることを示す、受信ユニットと、受信ユニットによって受信される通知情報にしたがって、無線リモートシナリオに適用可能なチャネル推定アルゴリズムを使用することによってチャネル推定を実行するよう構成される処理ユニットであって、チャネル推定アルゴリズムは、複数のＲＲＵからのダウンリンク信号が重ね合わされた後に取得される信号に対してチャネル推定を実行するために使用される、処理ユニットとを備える。
【００１８】
第４態様に関連して、第４態様の第１の考えられる実装例において、処理ユニットは具体的に、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを行うよう構成される。
【００１９】
第４態様、または第４態様の第１の考えられる実装例に関連して、第４態様の第２の考えられる実装例において、受信ユニットは具体的に、ＲＲＣ専用シグナリングであって、ＲＲＣ専用シグナリングにおける第１のインジケータビットは、ＵＥが無線リモートシナリオにあることを示すために使用される、ＲＲＣ専用シグナリングを受信する、または、システムメッセージであって、システムメッセージにおける第２のインジケータビットは、ＵＥが無線リモートシナリオにあることを示すために使用される、システムメッセージを受信する、または、無線リモートカバレッジセルのセル識別情報を保持するシステムメッセージを受信するよう構成される。
【００２０】
第５態様によると、基地局が提供される。基地局は、通信インタフェースとメモリとプロセッサとを備え、メモリは、プログラム命令を格納するよう構成され、プロセッサは、メモリに格納されたプログラム命令にしたがって、通信インタフェースを使用することによって基地局がＵＥへの接続を構築することを可能にするオペレーションと、ＵＥが無線リモートシナリオにあることを示す通知情報を通信インタフェースを使用することによってＵＥに送信するオペレーションであって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用される、オペレーションとを実行するよう構成される。
【００２１】
第５態様に関連して、第５態様の第１の考えられる実装例において、複数のＲＲＵからのダウンリンク信号が重ね合わされた後に取得される信号に対してチャネル推定を実行するようＵＥに命令するオペレーションをプロセッサが実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【００２２】
第５態様、または第５態様の第１の考えられる実装例に関連して、第５態様の第２の考えられる実装例において、ＵＥが無線リモートシナリオにあることを示す通知情報を通信インタフェースを使用することによってＵＥに送信するオペレーションをプロセッサが実行することは、通信インタフェースを使用することによって、ＲＲＣ専用シグナリングであって、ＲＲＣ専用シグナリングにおける第１のインジケータビットは、ＵＥが無線リモートシナリオにあることを示すために使用される、ＲＲＣ専用シグナリングをＵＥに送信すること、または、通信インタフェースを使用することによって、システムメッセージであって、システムメッセージにおける第２のインジケータビットは、ＵＥが無線リモートシナリオにあることを示すために使用される、システムメッセージをＵＥに送信すること、または、通信インタフェースを使用することによって、無線リモートカバレッジセルのセル識別情報を保持するシステムメッセージをＵＥに送信することを含む。
【００２３】
第５態様、または第５態様の第１もしくは第２の考えられる実装例に関連して、第５態様の第３の考えられる実装例において、プロセッサはさらに、メモリに格納されたプログラム命令にしたがって、ＵＥが無線リモートシナリオにあることを示す通知情報を通信インタフェースを使用することによってＵＥに送信するオペレーションの前に、ＵＥが高速移動状態にあると決定するオペレーションを実行するよう構成される。
【００２４】
第６態様によると、ＵＥが提供される。ＵＥは、通信インタフェースとメモリとプロセッサとを備え、メモリは、プログラム命令を格納するよう構成され、プロセッサは、メモリに格納されたプログラム命令にしたがって、通信インタフェースを使用することによって通知情報を受信するオペレーションであって、通知情報は、ＵＥが無線リモートシナリオにあることを示す、オペレーションと、通知情報にしたがって、無線リモートシナリオに適用可能なチャネル推定アルゴリズムを使用することによってチャネル推定を実行するオペレーションであって、チャネル推定アルゴリズムは、複数のＲＲＵからのダウンリンク信号が重ね合わされた後で取得される信号に対してチャネル推定を実行するために使用される、オペレーションとを実行するよう構成される。
【００２５】
第６態様に関連して、第６態様の第１の考えられる実装例において、複数のＲＲＵからのダウンリンク信号が重ね合わされた後に取得される信号に対してチャネル推定を実行するオペレーションをプロセッサが実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【００２６】
第６態様、または第６態様の第１の考えられる実装例に関連して、第６態様の第２の考えられる実装例において、通信インタフェースを使用することによって通知情報を受信するオペレーションであって、通知情報は、ＵＥが無線リモートシナリオにあることを示す、オペレーションをプロセッサが実行することは、通信インタフェース使用することによって、ＲＲＣ専用シグナリングであって、ＲＲＣ専用シグナリングにおける第１のインジケータビットは、ＵＥが無線リモートシナリオにあることを示すために使用される、ＲＲＣ専用シグナリングを受信すること、または、通信インタフェースを使用することによって、システムメッセージであって、システムメッセージにおける第２のインジケータビットは、ＵＥが無線リモートシナリオにあることを示すために使用される、システムメッセージを受信すること、または、通信インタフェースを使用することによって、無線リモートカバレッジセルのセル識別情報を保持するシステムメッセージを受信することを含む。
【００２７】
第７態様によると、通信システムが提供される。当該システムは、ＵＥへの接続を構築し、ＵＥが無線リモートシナリオにあることを示す通知情報をＵＥに送信するよう構成される基地局であって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用される、基地局と、ＵＥが無線リモートシナリオにあることを示す通知情報を基地局から受信することと、通知情報にしたがって、無線リモートシナリオに適用可能なチャネル推定アルゴリズムであって、複数のＲＲＵからのダウンリンク信号が重ね合わされた後に取得される信号に対してチャネル推定を実行するために使用されるチャネル推定アルゴリズムを使用することによってチャネル推定を実行することとを行うよう構成されるＵＥとを備える。
【００２８】
第７態様に関連して、第７態様の第１の考えられる実装例において、ＵＥは具体的に、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを行うよう構成される。
【００２９】
第７態様、または第７態様の第１の考えられる実装例に関連して、第７態様の第２の考えられる実装例において、基地局は具体的に、ＲＲＣ専用シグナリングであって、ＲＲＣ専用シグナリングにおける第１のインジケータビットは、ＵＥが無線リモートシナリオにあることを示すために使用される、ＲＲＣ専用シグナリングをＵＥに送信する、または、システムメッセージであって、システムメッセージにおける第２のインジケータビットは、ＵＥが無線リモートシナリオにあることを示すために使用される、システムメッセージをＵＥに送信する、または、無線リモートカバレッジセルのセル識別情報を保持するシステムメッセージをＵＥに送信するよう構成される。
【００３０】
第７態様、または第７態様の第１もしくは第２の考えられる実装例に関連して、第７態様の第３の考えられる実装例において、基地局はさらに、ＵＥが無線リモートシナリオにあることを示す通知情報をＵＥに送信する前に、ＵＥが高速移動状態にあると決定するよう構成される。
【００３１】
本発明の実施形態において、基地局は、ＵＥが無線リモートシナリオにあることを示す通知情報をＵＥに送信するので、ＵＥは、通知情報を受信した後、採用されるチャネル推定アルゴリズムを変更することができる。無線リモートシナリオにおいて、複数のＲＲＵによってＵＥに送信されるダウンリンク信号をＵＥが受信するという特徴に対して、チャネル推定中、複数のダウンリンク信号が重ね合わされた後に取得される信号に対してチャネル推定を実行するために、適切なチャネル推定アルゴリズムが使用されて、チャネル推定の精度を効果的に改善し、それにより、ＵＥのダウンリンクデータスループットを効果的に改善する。
【図面の簡単な説明】
【００３２】
【図１】本発明の一実施形態に係るネットワークアーキテクチャの概略図である。
【００３３】
【図２】本発明の一実施形態に係る適用シナリオの概略図である。
【００３４】
【図３】本発明の実施形態１に係る信号フロー図である。
【００３５】
【図４】本発明の実施形態２に係る信号フロー図である。
【００３６】
【図５】本発明の実施形態３に係る信号フロー図である。
【００３７】
【図６】本発明の実施形態４に係る基地局の構造図である。
【００３８】
【図７】本発明の実施形態５に係るＵＥの構造図である。
【００３９】
【図８】本発明の実施形態６に係る基地局の構造図である。
【００４０】
【図９】本発明の実施形態７に係るＵＥの構造図である。
【００４１】
【図１０】本発明の実施形態８に係る通信システムの構造図である。
【発明を実施するための形態】
【００４２】
本発明の実施形態の目的、技術的解決手段、および利点をより明確にするために、本発明の実施形態における添付の図面に関連して、本発明の実施形態における技術的解決手段を以下で説明する。説明される実施形態が、本発明の実施形態の全てではなく一部であることは明らかである。創造的な努力なく本発明の実施形態に基づいて当業者によって取得される他の全ての実施形態は、本発明の保護範囲に当然に含まれる。
【００４３】
図１は、本発明の一実施形態に係るネットワークアーキテクチャの概略図である。本発明の本実施形態は、第３世代（３ｒｄ−Ｇｅｎｅｒａｔｉｏｎ、３Ｇ）モバイル通信技術ネットワークに適用されてよく、または、ロングタームエボリューション（Ｌｏｎｇ  Ｔｅｒｍ  Ｅｖｏｌｕｔｉｏｎ、ＬＴＥ）ネットワークに適用されてよい。説明しやすくするために、説明のための例として、以下ではＬＴＥネットワークが使用される。図１を参照すると、ＬＴＥネットワークの発展型ユニバーサル地上無線アクセスネットワーク（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）通信システム１００において、Ｅ−ＵＴＲＡＮ通信システム１００は、いくつかの基地局１１０と他のネットワークエンティティとを備えて、いくつかのＵＥ１２０が通信を実行するようサポートする。ＵＥ１２０のうちのいくつかは、高速で走行中の高速列車（Ｈｉｇｈ  Ｓｐｅｅｄ  Ｔｒａｉｎ、ＨＳＴ）に位置している。これらのＵＥ１２０は、本発明の実施形態において提供される方法を使用して、基地局１１０から受信したダウンリンクデータを復調してよい。
【００４４】
基地局１１０は、ＬＴＥの発展型ノードＢ（Ｅｖｏｌｖｅｄ  ＮｏｄｅＢ、ｅＮＢ）であってよい。１つの基地局１１０が１または複数のセルをサポート／管理してよい。ネットワークと通信する必要があるとき、ＵＥ１２０は１つのセルを選択し、アクセスを開始する。
【００４５】
ＵＥ１２０は代替的に、モバイル端末（Ｍｏｂｉｌｅ  Ｔｅｒｍｉｎａｌ、ＭＴ）または移動局（Ｍｏｂｉｌｅ  Ｓｔａｔｉｏｎ、ＭＳ）等と称されてよく、無線アクセスネットワーク（Ｒａｄｉｏ  Ａｃｃｅｓｓ  Ｎｅｔｗｏｒｋ、ＲＡＮ）を使用することによって１または複数のコアネットワークとの通信を実行してよい。
【００４６】
コアネットワークデバイス１３０が１または複数の基地局１１０に接続され、コアネットワークデバイス１３０は、移動性管理エンティティ（Ｍｏｂｉｌｉｔｙ  Ｍａｎａｇｅｍｅｎｔ  Ｅｎｔｉｔｙ、ＭＭＥ）を有する。
【００４７】
本発明の本実施形態は、種々の通信システムに適用されてよい。種々の通信システムに対応して、具体的な基地局デバイスは異なり、具体的に、基地局コントローラ（Ｂａｓｅ  Ｓｔａｔｉｏｎ  Ｃｏｎｔｒｏｌｌｅｒ、ＢＳＣ）、無線ネットワークコントローラ（Ｒａｄｉｏ  Ｎｅｔｗｏｒｋ  Ｃｏｎｔｒｏｌｌｅｒ、ＲＮＣ）、発展型ノードＢ（ｅＮＢ）、またはノードＢ（ＮｏｄｅＢ）であってよい。
【００４８】
本発明の本実施形態は、複数のノードが共同伝送を実行する高速のシナリオに適用されてよく、無線リモートシナリオにおける高速鉄道モバイル通信が、単に説明のための例として以下で使用されている。
【００４９】
図２は、本発明の一実施形態に係る適用シナリオの概略図である。当該シナリオは無線リモートシナリオであり、無線リモートシナリオでは帯状トポロジが使用される。複数のＲＲＵがＢＢＵに取り付けられ、ＲＲＵは線路に沿って配置される。複数のＲＲＵは少なくとも２つのＲＲＵであり、ＲＲＵの数は必要に応じて設定されてよい。本図に示されるＲＲＵの数は４である。当該数は説明のための例に過ぎず、本発明の本実施形態を限定するようには意図されていない。無線リモートシナリオにおけるＢＢＵは、基地局のベースバンドユニットに相当し、ＲＲＵは、基地局の無線周波ユニットに相当する。無線リモートシナリオにおいて、複数のＲＲＵは同一の物理セルに属し、同一のセルＩＤを共有し、セル内のＵＥに同時にサービスを提供し、同一の無線信号を送信する。ＵＥ側の視点からみると、セルの半径が大幅に拡大され、高速移動プロセスにおけるＵＥのハンドオーバ数が効果的に低減され、ネットワークハンドオーバシグナリングオーバヘッドが低減され、ハンドオーバ失敗率が下がる。加えて、複数のＲＲＵはＵＥのためにダウンリンク信号を同時に送信するので、ＵＥ側において受信される信号のＳＩＮＲも大きく改善される。
【００５０】
無線リモート配備がハンドオーバを効果的に低減でき、ＵＥによって受信される信号のＳＩＮＲを改善できる。しかしながら、従来のチャネル推定アルゴリズムによって得られる効果は、無線リモートシナリオにおいては比較的不満足なものであるので、ダウンリンク信号復調性能が悪く、スループット率が低い。
【００５１】
通常、ＵＥは自動の時間−周波数トラッキング機能を有する。従来のマクロネットワークの低速のシナリオにおいて、ＵＥは受信信号についての望ましいトラッキング性能を維持でき、チャネル推定を正確に実行できる。しかしながら、高速鉄道専用ネットワークの無線リモートシナリオにおいて、ＵＥによって受信される信号は比較的複雑である。ＵＥが同時に２つのＲＲＵによってサービスを提供されると仮定すると、ＵＥによって受信される信号において２つの主経路が存在する。その２つの主経路のパワー、相対遅延、およびドップラーシフトは経時的に変化し、ドップラーシフトの符号は逆である。この場合、従来のチャネル推定の結果は不正確であり、端末のダウンリンクスループットに影響を及ぼす。
【００５２】
高速鉄道専用ネットワークの無線リモートシナリオにおいて、ＵＥによって受信される信号は、複数のＲＲＵからのダウンリンク信号を重ね合わせることによって取得され、ＲＲＵからのダウンリンク到着信号は、異なるパワー、相対遅延、およびドップラーシフトを有する。本シナリオにおけるＵＥによって受信されるダウンリンク信号の特徴に対して、本発明の本実施形態においては、本シナリオに具体的に適用可能なチャネル推定アルゴリズムがチャネル推定に使用されて、本シナリオにおけるチャネル推定の精度を改善し、それにより、ＵＥのスループットを改善する。
【００５３】
図３は、本発明の実施形態１に係る信号フロー図である。基地局は、ＵＥが無線リモートシナリオにあることを示す通知情報をＵＥに送信し、ＵＥは、通知情報を受信した後、チャネル推定アルゴリズムを変更してよい。図３を参照すると、当該方法は以下の段階を備える。
【００５４】
段階３０１：基地局が、ＵＥへの接続を構築する。
【００５５】
基地局は、無線リモート配備を使用する基地局である。ＵＥが基地局への接続を構築した後、ＵＥは無線リモートシナリオにある。基地局がＵＥへの接続を構築するプロセスは、限定はされないが、アイドル状態にあるＵＥがセルの選択およびセルの再選択によって基地局への接続を構築するケース、接続状態にあるＵＥがハンドオーバによって基地局への接続を構築するケース、およびＵＥが無線リソース制御（Ｒａｄｉｏ  Ｒｅｓｏｕｒｃｅ  Ｃｏｎｔｒｏｌ、ＲＲＣ）再構築によって基地局への接続を構築するケースという３つのケースを含んでよい。
【００５６】
段階３０２：ＵＥが無線リモートシナリオにあることを示す通知情報を、基地局がＵＥに送信する。
【００５７】
通知情報は、無線リモートシナリオに適用可能なチャネル推定アルゴリズムを使用することによってチャネル推定を実行するようＵＥに命令するために使用される。チャネル推定アルゴリズムは、複数のＲＲＵからのダウンリンク信号が重ね合わされた後に取得される信号に対してチャネル推定を実行するために使用される。
【００５８】
本発明の本実施形態において、基地局は、通知情報をＲＲＣ専用シグナリングに追加し、当該ＲＲＣ専用シグナリングをＵＥに送信してよく、または、通知情報をシステムメッセージに追加し、当該システムメッセージをＵＥに送信してよい。
【００５９】
ＵＥが高速移動状態にあるとき、チャネル推定は不正確になる可能性が高いので、基地局はまず、ＵＥが高速移動状態にあるか否かを判断してよい。ＵＥが高速移動状態にあると判断したとき、基地局は、ＵＥが無線リモートシナリオにあることを示す通知情報をＵＥに送信し、そうでないとき、基地局は通知情報を送信しない。ＵＥの移動速度が事前設定された速度閾値を超えるとき、ＵＥは高速移動状態にあるとみなされてよい。例えば、速度閾値は２００ｋｍ／時に設定されてよい。ＵＥが高速移動状態にあるか否かを判断する段階は、任意選択の段階である。
【００６０】
段階３０３：ＵＥが、通知情報を受信する。ここで、通知情報は、ＵＥが無線リモートシナリオにあることを示す。
【００６１】
具体的には、ＵＥはＲＣＣ専用シグナリングを受信し、ＲＲＣ専用シグナリングにおける第１のインジケータビットは、ＵＥが無線リモートシナリオにあることを示すために使用される。あるいは、ＵＥはシステムメッセージを受信し、システムメッセージにおける第２のインジケータビットは、ＵＥは無線リモートシナリオにあることを示すために使用される。
【００６２】
段階３０４：ＵＥが、通知情報にしたがって、無線リモートシナリオに適用可能なチャネル推定アルゴリズムを使用することによってチャネル推定を実行する。
【００６３】
チャネル推定アルゴリズムは、複数のＲＲＵからのダウンリンク信号が重ね合わされた後に取得される信号に対してチャネル推定を実行するために使用される。具体的には、各ＲＲＵからのダウンリンク信号の遅延およびドップラーシフトが決定され、遅延およびドップラーシフトにしたがってウィーナー（Ｗｉｅｎｅｒ）係数が決定され、ウィーナー係数を使用することによってチャネル推定が実行される。
【００６４】
本発明の本実施形態において、基地局は、ＵＥが無線リモートシナリオにあることを示す通知情報をＵＥに送信するので、ＵＥは、通知情報を受信した後、採用されるチャネル推定アルゴリズムを変更できる。無線リモートシナリオにおいて、複数のＲＲＵによってＵＥに送信されるダウンリンク信号をＵＥが受信するという特徴に対して、チャネル推定中、複数のダウンリンク信号が重ね合わされた後に取得される信号に対してチャネル推定が実行されて、チャネル推定の精度を効果的に改善し、それにより、ＵＥのダウンリンクデータスループットを効果的に改善する。
【００６５】
図４は、本発明の実施形態２に係る信号フロー図である。基地局は、ＵＥが無線リモートシナリオにあることを示す通知情報を、ＲＲＣ専用シグナリングを使用することによってＵＥに送信する。図４を参照すると、当該方法は以下の段階を備える。
【００６６】
段階４０１：基地局が、ＵＥへの接続を構築する。
【００６７】
段階４０２：ＵＥが、インジケーション情報を基地局に送信する。ここで、インジケーション情報は、ＵＥが、無線リモートシナリオに適用可能なチャネル推定アルゴリズムをサポートすることを示すために使用される。
【００６８】
段階４０３：ＵＥが高速移動状態にあるか否かを、基地局が判断する。
【００６９】
判断結果が、ＵＥが高速移動状態にあるということであったとき、段階４０４が実行され、そうでないとき、何の処理も実行されない。
【００７０】
基地局はまず、ＵＥの移動速度を取得してよく、その後、事前設定された速度閾値にしたがって、ＵＥの移動速度が当該速度閾値より大きいか否かを判断し、ＵＥの移動速度が当該速度閾値より大いとき、ＵＥは高速移動状態にあると決定する。
【００７１】
本発明の本実施形態において、代替的に、基地局は、以下の方式のうち任意の１つを使用することによって、ＵＥが高速移動状態にあるか否かを判断してよい。
【００７２】
第１方式：ＵＥが、移動ステータスを基地局に報告する。例えば、基地局にアクセスするとき、移動ステータスの報告をサポートするＵＥは、ＵＥの移動ステータスのメッセージ要素（Ｉｎｆｏｒｍａｔｉｏｎ  Ｅｌｅｍｅｎｔ、ＩＥ）を、基地局に送信されるシグナリングに追加し、基地局は、シグナリングからＵＥの速度範囲を読み出してよく、シグナリングは具体的に、ＲＲＣ接続構築完了メッセージであってよい。
【００７３】
第２方式：基地局が、事前設定された期間におけるＵＥのハンドオーバ数を取得し、ＵＥの単位時間当たりのハンドオーバ数にしたがって、速度範囲をＵＥに割り当てる。例えば、ＵＥが１分間に５またはそれより多くのハンドオーバを実行するとき、速度範囲は高速と規定される。
【００７４】
第３方式：基地局が、受信されたＵＥのアップリンク信号のドップラーシフト（Ｄｏｐｐｌｅｒ  ｓｈｉｆｔ）にしたがって、ＵＥの速度範囲を決定する。例えば、１０００Ｈｚまたはそれより大きいドップラーシフトは高速を示す。
【００７５】
第４方式：基地局が、ネットワーク側の測位によってＵＥの位置情報を取得し、ＵＥの位置変更にしたがってＵＥの速度情報が取得されてよく、これにより、速度範囲をＵＥに割り当てる。例えば、ＵＥの速度が２００ｋｍ／時またはそれより速い速度に達したとき、速度範囲は高速である。
【００７６】
第５方式：基地局が、速度情報を有するアプリケーション層からＵＥの速度データ情報を取得する。
【００７７】
段階４０３は任意選択の段階である。本発明の本実施形態において、段階４０３は含まれなくてよく、段階４０２が実行された後、段階４０４が直接実行される。
【００７８】
段階４０４：基地局が、ＲＲＣ専用シグナリングをＵＥに送信する。ここで、ＲＲＣ専用シグナリングにおける第１のインジケータビットは、ＵＥが無線リモートシナリオにあることを示すために使用される。
【００７９】
具体的には、ＵＥは無線リモートシナリオにあるか否かは、ブーリアン型変数を使用することによって示されてよい。例えば、０は、ＵＥが無線リモートシナリオにないことを表し、１は、ＵＥが無線リモートシナリオにあることを表す。
【００８０】
段階４０５：ＵＥが、ＲＲＣ専用シグナリングのインジケーションにしたがって、無線リモートシナリオに適用可能なチャネル推定アルゴリズムを使用することによってチャネル推定を実行する。
【００８１】
チャネル推定アルゴリズムは、複数のＲＲＵの各々からのダウンリンク信号に対して時間−周波数トラッキングを実行して、各ＲＲＵからのダウンリンク信号の遅延およびドップラーシフトを決定し、遅延およびドップラーシフトにしたがってウィーナー（Ｗｉｅｎｅｒ）係数を決定し、ウィーナー係数を使用することによってチャネル推定を実行するために使用される。
【００８２】
無線リモートシナリオに入った後、ＵＥは、ＲＲＣ専用シグナリング内のインジケーションを受信することによって上述のシナリオに適用可能なチャネル推定アルゴリズムを有効にして上述のシナリオにおけるＵＥのチャネル推定の精度を改善し、それにより、ＵＥのダウンリンクスループットを改善し、ネットワーク性能を改善する。
【００８３】
図５は、本発明の実施形態３に係る信号フロー図である。基地局は、ＵＥが無線リモートシナリオにあることを示す通知情報を、システムメッセージを使用することによってＵＥに送信する。図５を参照すると、当該方法は以下の段階を備える。
【００８４】
段階５０１：基地局が、ＵＥへの接続を構築する。
【００８５】
段階５０２：ＵＥが高速移動状態にあるか否かを、ＵＥが判断する。
【００８６】
本発明の本実施形態において、ＵＥは、ＵＥが高速移動状態にあるか否かを、限定はされないが以下の方式を含む方式を使用することによって判断してよい。
【００８７】
第１方式：ＵＥのグローバルポジショニングシステム（Ｇｌｏｂａｌ  Ｐｏｓｉｔｉｏｎｉｎｇ  Ｓｙｓｔｅｍ、ＧＰＳ）を使用することによって速度をテストする。速度が３００ｋｍ／時、またはそれより速い場合、高速とみなされる。
【００８８】
第２方式：単位時間当たりに生じるハンドオーバ数を使用する。ハンドオーバ数が１分当たり５またはそれより多い場合、速度は高速とみなされる。
【００８９】
第３方式：単位時間当たりに生じるセルの再選択数を使用する。セルの再選択数が、１分当たり５またはそれより多い場合、速度は高速とみなされる。
【００９０】
第４方式：過去のセルの継続期間にしたがって判断を実行する。いくつかの以前のセルにおける平均継続期間が１０秒より短い場合、速度は高速とみなされる。
【００９１】
段階５０３：ＵＥが高速移動状態にあると判断したとき、ＵＥが高速移動状態にあることを示すインジケーション情報をＵＥが基地局に送信する。
【００９２】
加えて、ＵＥが無線リモートシナリオに適用可能なチャネル推定アルゴリズムをサポートすることを示すインジケーション情報が、さらに送信されてよい。
【００９３】
段階５０４：基地局が、システムメッセージをＵＥに送信する。ここで、システムメッセージにおける第２のインジケータビットは、ＵＥが無線リモートシナリオにあることを示すために使用される。
【００９４】
段階５０５：ＵＥが、システムメッセージのインジケーションにしたがって、無線リモートシナリオに適用可能なチャネル推定アルゴリズムを使用することによってチャネル推定を実行する。
【００９５】
チャネル推定アルゴリズムは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー（Ｗｉｅｎｅｒ）係数を決定し、ウィーナー係数を使用することによってチャネル推定を実行することとを行うために使用される。
【００９６】
無線リモートシナリオにアクセスした後、ＵＥは、システムメッセージ内のインジケーションを読み出すことによって上述のシナリオに適用可能なチャネル推定アルゴリズムを有効にして上述のシナリオにおけるＵＥのチャネル推定の精度を改善し、それにより、ＵＥのダウンリンクスループットを改善し、ネットワーク性能を改善する。
【００９７】
加えて、無線リモートシナリオでは、基地局は、代替的に、ＵＥが無線リモートシナリオにあることを暗示的に示してよい。例えば、システムメッセージは、セルが無線リモートカバレッジセルであることを示すインジケーション情報を保持してよい。ＵＥが無線リモートカバレッジセルに属すると判断した場合、ＵＥは、無線リモートシナリオに適用可能なチャネル推定アルゴリズムを有効にする。
【００９８】
本発明の本実施形態において使用される、無線リモートシナリオに適用可能なチャネル推定アルゴリズムは、ＵＥが、同一のセルＩＤを共有する２つのＲＲＵによって同時にサービスを提供される例を使用することによって以下で簡潔に説明される。
【００９９】
チャネル推定アルゴリズムは、遅延推定、ドップラー推定、遅延および周波数の補償、およびチャネル推定という４つの主段階を有する。これら段階の各々において、無線リモートシナリオにおける処理のために、適切な方法が選択される必要がある。
【０１００】
段階１：遅延推定を実行する。各主経路の最初に到着した経路ピーク値の位置を取得すべく、信号に対して逆高速フーリエ変換（Ｉｎｖｅｒｓｅ  Ｆａｓｔ  Ｆｏｕｒｉｅｒ  Ｔｒａｎｓｆｏｒｍ、ＩＦＦＴ）が実行され、これにより、２つの主経路の遅延
【数１】
2018526893.tif 000003
および
【数２】
2018526893.tif 000004
が取得され得る。
【０１０１】
段階２：ドップラー推定を実行する。ドップラー推定は、ドップラーシフト推定である。従来のチャネル推定アルゴリズムにおいて使用されるドップラー推定は、近隣のパイロットシンボルの信号位相偏位の計算に基づいて取得される。ドップラーシフトを取得すべく、同一サブキャリアにおける近隣の共通基準信号（Ｃｏｍｍｏｎ  Ｒｅｆｅｒｅｎｃｅ  Ｓｉｇｎａｌ、ＣＲＳ）のパイロット信号位置の信号位相差が、時間間隔で除算される。しかしながら、無線リモートシナリオにおいて、複数のＲＲＵからのダウンリンク信号が存在するので、各信号のドップラーシフトは異なり、各信号のパワーが変化するにつれてドミナント信号が経時的に変化する。結果的に、ドップラーシフトは、従来のドップラー推定方法を使用することによっては正確に推定され得ない。本発明の本実施形態では、複数の高調波のドップラーシフトをノイズから推定するための方法、例えば、非線形ＬＳ推定方法が使用される。
【０１０２】
非線形ＬＳ方法、または、高次のユール・ウォーカー方程式などの方法を使用することによって、複数のＲＲＵからの信号のシフトが推定されてよい。ＵＥが２つのＲＲＵによって同時にサービスを提供される例を本明細書において使用し、非線形ＬＳ方法を使用することによって２つの経路のドップラーシフトを計算する。
【０１０３】
受信信号の時間領域相互相関関数は、
【数３】
2018526893.tif 000005
である。
【０１０４】
当該時間領域相互相関関数は、
【数４】
2018526893.tif 000006
のように簡略化され得る。
【０１０５】
時間領域相互相関関数において、各パラメータの意味は、次の通りである。
【数５】
2018526893.tif 000007
：時間−周波数位置（ｘ，ｌ）と（ｋ，ｋ＋Δｋ）との間の相互相関関数、
Ｅ（）：期待値、
【数６】
2018526893.tif 000008
：時間−周波数位置（ｋ，ｘ）におけるＬＳチャネル推定、
ｎ：ノイズ、
ｐ＝０または１：０番目のＲＲＵ信号および１番目のＲＲＵ信号を表す、
Ｎ：使用されるサブキャリア数、
【数７】
2018526893.tif 000009
：ｐ番目のＲＲＵ信号のパワー、
【数８】
2018526893.tif 000010
：矩形波のＦＦＴ変換、すなわち、
【数９】
2018526893.tif 000011
【数１０】
2018526893.tif 000012
：ｐ番目のＲＲＵ信号のドップラーシフト、
Ｆｄ，ｐ＝ｆｄ，ｐ／Δｆ、式中、Δｆはサブキャリア間隔、
【数１１】
2018526893.tif 000013
：ｐ番目のＲＲＵ信号の遅延、および、
【数１２】
2018526893.tif 000014
：時間単位。
【０１０６】
当該式における期待値は、周波数領域の平均化によって取得され得る。
【数１３】
2018526893.tif 000015
【０１０７】
２つの経路のパワーの差が大きいとき、例えば、その差が５ｄＢまたはそれより大きいとき、
【数１４】
2018526893.tif 000016
である。
【０１０８】
２つの経路のパワーの差が小さいとき、例えば、その差が５ｄＢまたはそれより小さいとき、
【数１５】
2018526893.tif 000017
である。
【０１０９】
上記から、２つの経路が近接しているとき、式中に相殺され得ない交差項（最後の２項）が存在することが分かる。無線リモートシナリオにおいて、２つのＲＲＵの間の中間の位置に列車が位置しているときだけ、２つの経路は近接している。この場合、２つの経路のドップラーシフトは経時的にほとんど変化せず、時間領域の平均化によって当該交差項は抑制され得る。このことは、
【数１６】
2018526893.tif 000018
のように示される。
【０１１０】
ゆえに、平均相互相関関数は、
【数１７】
2018526893.tif 000019
のように表され得る。
【０１１１】
簡略化のために、当該式は、
【数１８】
2018526893.tif 000020
のように示される。
【０１１２】
次式、
【数１９】
2018526893.tif 000021
が取得され得る。
【０１１３】
さらに、２つの経路のドップラーシフトは、次式を使用することによって取得され得る。
【数２０】
2018526893.tif 000022
【０１１４】
式中、
【数２１】
2018526893.tif 000023
【数２２】
2018526893.tif 000024
である。
【０１１５】
式中、ｍは、各サブフレームにおけるＯＦＤＭシンボルの位置を表し、ｍ１：＃０および＃４、＃７および＃１１、ｍ２：＃０および＃７、＃４および＃１１、ｍ３：＃４および＃７、ｍ４：＃０および＃１１である。
【０１１６】
段階３：遅延および周波数の補償を実行する。遅延の補償には一般的な方法が使用されてよい。周波数補償については、本発明の本実施形態において、まず２つの経路のパワーが決定される必要がある。２つの経路のパワーの差が大きい場合、例えば、その差が５ｄＢまたはそれより大きい場合、周波数補償は強い経路にしたがって実行される。２つの経路のパワーが同様である場合、ドップラーシフトおよび遅延の推定は、２つの経路に対して別々に実行されてよい。推定値にしたがってウィーナー係数が計算される。ＵＥの局部発振器のベースバンド中心周波数を２つの経路のドップラーシフトの中心に調整することによって、キャリア間干渉が低減され得る。
【０１１７】
段階４：チャネル推定を実行する。本発明の本実施形態において、パイロット位置におけるチャネル推定の計算に基づいて、非パイロット位置におけるチャネル推定が取得され得る。
【０１１８】
具体的には、非パイロット位置におけるチャネル推定は、ウィーナー係数行列にパイロット位置におけるチャネル推定を乗算することによって取得される。
【０１１９】
【数２３】
2018526893.tif 000025
式中、
【数２４】
2018526893.tif 000026
は、非パイロット位置におけるチャネル推定を表し、
【数２５】
2018526893.tif 000027
は、ウィーナー係数行列を表し、
【数２６】
2018526893.tif 000028
は、パイロット位置におけるチャネル推定を表す。ここで、ウィーナー係数行列は、時間領域および周波数領域の相互相関関数に基づいて取得される。
【数２７】
2018526893.tif 000029
【数２８】
2018526893.tif 000030
【０１２０】
【数２９】
2018526893.tif 000031
は、パイロットシンボルのチャネル推定であり、受信されたシーケンスをローカルシーケンスで除算することによって取得され得る。これは、従来の方法と同一である。ＷＭＭＳＥは、１次元線形フィルタリングを２回使用することによって取得され得る。すなわち、周波数に対してまずウィーナーフィルタリングが実行され、その後、時間領域に対してフィルタリングが実行される。周波数領域関連関数は次の通りである。
【数３０】
2018526893.tif 000032
【０１２１】
時間領域関連関数は次の通りである。
【数３１】
2018526893.tif 000033
【０１２２】
ゆえに、周波数フィルタリングは、
【数３２】
2018526893.tif 000034
のように表され得る。
【０１２３】
時間領域フィルタリングは、
【数３３】
2018526893.tif 000035
のように表され得る。
【０１２４】
従来のチャネル推定方法は不正確であり、ＵＥのスループットが低く、また、信号対ノイズ比は大幅に改善されるが、依然としてスループットのボトルネックが存在するということが実験により分かる。しかしながら、本発明の本実施形態において提供されるチャネル推定アルゴリズムにおいて、ＵＥのダウンリンクスループットは、明らかなゲインを取得する。
【０１２５】
図６は、本発明の実施形態４に係る基地局の構造図である。基地局は、本発明の実施形態において提供されるチャネル推定方法を実行するよう構成される。基地局は、ＵＥへの接続を構築するように送信ユニット６０２を制御するよう構成される処理ユニット６０１と、さらに、ＵＥが無線リモートシナリオにあることを示す通知情報をＵＥに送信するよう構成される送信ユニット６０２であって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用される、送信ユニット６０２とを備える。
【０１２６】
任意選択で、送信ユニット６０２によって示される、複数のＲＲＵからのダウンリンク信号が重ね合わされた後に取得される信号に対してチャネル推定を実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【０１２７】
任意選択で、送信ユニット６０２は具体的に、ＲＲＣ専用シグナリングであって、ＲＲＣ専用シグナリングにおける第１のインジケータビットは、ＵＥが無線リモートシナリオにあることを示すために使用される、ＲＲＣ専用シグナリングをＵＥに送信する、または、システムメッセージであって、システムメッセージにおける第２のインジケータビットは、ＵＥが無線リモートシナリオにあることを示すために使用される、システムメッセージをＵＥに送信するよう構成される。
【０１２８】
任意選択で、処理ユニット６０１はさらに、ＵＥが無線リモートシナリオにあることを示す通知情報を送信ユニット６０２がＵＥに送信する前に、ＵＥが高速移動状態にあると決定するよう構成される。
【０１２９】
図７は、本発明の実施形態５に係るＵＥの構造図である。ＵＥは、本発明の実施形態において提供されるチャネル推定方法を実行するよう構成される。ＵＥは、通知情報を受信するよう構成される受信ユニット７０１であって、通知情報は、ＵＥが無線リモートシナリオにあることを示す、受信ユニット７０１と、受信ユニット７０１によって受信される通知情報にしたがって、無線リモートシナリオに適用可能なチャネル推定アルゴリズムを使用することによってチャネル推定を実行するよう構成される処理ユニット７０２であって、チャネル推定アルゴリズムは、複数のＲＲＵからのダウンリンク信号が重ね合わされた後に取得される信号に対してチャネル推定を実行するために使用される、処理ユニット７０２とを備える。
【０１３０】
任意選択で、処理ユニット７０２は具体的に、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを行うよう構成される。
【０１３１】
任意選択で、受信ユニット７０１は具体的に、ＲＲＣ専用シグナリングであって、ＲＲＣ専用シグナリングにおける第１のインジケータビットは、ＵＥが無線リモートシナリオにあることを示すために使用される、ＲＲＣ専用シグナリングを受信する、または、システムメッセージであって、システムメッセージにおける第２のインジケータビットは、ＵＥが無線リモートシナリオにあることを示すために使用される、システムメッセージを受信するよう構成される。
【０１３２】
図８は、本発明の実施形態６に係る基地局の構造図である。基地局は、本発明の実施形態において提供されるチャネル推定方法を実行するよう構成される。基地局は、通信インタフェース８０１とメモリ８０２とプロセッサ８０３とを備え、メモリ８０２は、プログラム命令を格納するよう構成され、プロセッサ８０３は、メモリ８０２に格納されたプログラム命令にしたがって、通信インタフェース８０１を使用することによって基地局がＵＥへの接続を構築することを可能にするオペレーションと、ＵＥが無線リモートシナリオにあることを示す通知情報を通信インタフェース８０１を使用することによってＵＥに送信するオペレーションであって、通知情報は、無線リモートシナリオに適用可能なチャネル推定アルゴリズムを使用することによってチャネル推定を実行するようＵＥに命令するために使用され、チャネル推定アルゴリズムは、複数のＲＲＵからのダウンリンク信号が重ね合わされた後に取得される信号に対してチャネル推定を実行するために使用されるオペレーションとを実行するよう構成される。
【０１３３】
任意選択で、複数のＲＲＵからのダウンリンク信号が重ね合わされた後に取得される信号に対してチャネル推定を実行するようＵＥに命令するオペレーションをプロセッサ８０３が実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【０１３４】
任意選択で、ＵＥが無線リモートシナリオにあることを示す通知情報を通信インタフェース８０１を使用することによってＵＥに送信するオペレーションをプロセッサ８０３が実行することは、通信インタフェース８０１を使用することによって、ＲＲＣ専用シグナリングであって、ＲＲＣ専用シグナリングにおける第１のインジケータビットは、ＵＥが無線リモートシナリオにあることを示すために使用される、ＲＲＣ専用シグナリングをＵＥに送信すること、または、通信インタフェース８０１を使用することによって、システムメッセージであって、システムメッセージにおける第２のインジケータビットは、ＵＥが無線リモートシナリオにあることを示すために使用される、システムメッセージをＵＥに送信することを含む。
【０１３５】
任意選択で、プロセッサ８０３はさらに、メモリ８０２に格納されたプログラム命令にしたがって、ＵＥが無線リモートシナリオにあることを示す通知情報を通信インタフェース８０１を使用することによってＵＥに送信する前に、ＵＥが高速移動状態にあると決定するオペレーションを実行するよう構成される。
【０１３６】
図９は、本発明の実施形態７に係るＵＥの構造図である。ＵＥは、本発明の実施形態において提供されるチャネル推定方法を実行するよう構成される。ＵＥは、通信インタフェース９０１とメモリ９０２とプロセッサ９０３とを備え、メモリ９０２は、プログラム命令を格納するよう構成され、プロセッサ９０３は、メモリ９０２に格納されたプログラム命令にしたがって、通信インタフェース９０１を使用することによって通知情報を受信するオペレーションであって、通知情報は、ＵＥが無線リモートシナリオにあることを示す、オペレーションと、通知情報にしたがって、無線リモートシナリオに適用可能なチャネル推定アルゴリズムを使用することによってチャネル推定を実行するオペレーションであって、チャネル推定アルゴリズムは、複数のＲＲＵからのダウンリンク信号が重ね合わされた後に取得される信号に対してチャネル推定を実行するために使用される、オペレーションとを実行するよう構成される。
【０１３７】
任意選択で、複数のＲＲＵからのダウンリンク信号が重ね合わされた後に取得される信号に対してチャネル推定を実行するオペレーションをプロセッサ９０３が実行することは、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを含む。
【０１３８】
任意選択で、通信インタフェース９０１を使用することによって通知情報を受信するオペレーションであって、通知情報は、ＵＥが無線リモートシナリオにあることを示す、オペレーションをプロセッサ９０３が実行することは、通信インタフェース９０１を使用することによって、ＲＲＣ専用シグナリングであって、ＲＲＣ専用シグナリングにおける第１のインジケータビットは、ＵＥが無線リモートシナリオにあることを示すために使用される、ＲＲＣ専用シグナリングを受信すること、または、通信インタフェース９０１を使用することによって、システムメッセージであって、システムメッセージにおける第２のインジケータビットは、ＵＥが無線リモートシナリオにあることを示すために使用される、システムメッセージを受信することとを含む。
【０１３９】
図１０は、本発明の実施形態８に係る通信システムの構造図である。通信システムは、本発明の実施形態において提供されるチャネル推定方法を実行するよう構成される。当該システムは、ＵＥ１００２への接続を構築し、ＵＥ１００２が無線リモートシナリオにあることを示す通知情報をＵＥ１００２に送信するよう構成される基地局１００１であって、通知情報は、無線リモートシナリオに適用可能なチャネル推定アルゴリズムを使用することによってチャネル推定を実行するようＵＥ１００２に命令するために使用され、チャネル推定アルゴリズムは、複数のＲＲＵからのダウンリンク信号が重ね合わされた後に取得される信号に対してチャネル推定を実行するために使用される、基地局１００１と、ＵＥが無線リモートシナリオにあることを示す通知情報を基地局１００１から受信することと、通知情報にしたがって、無線リモートシナリオに適用可能なチャネル推定アルゴリズムであって、複数のＲＲＵからのダウンリンク信号が重ね合わされた後に取得される信号に対してチャネル推定を実行するために使用されるチャネル推定アルゴリズムを使用することによって、チャネル推定を実行することとを行うよう構成されるＵＥ１００２とを備える。
【０１４０】
任意選択で、ＵＥ１００２は具体的に、複数のＲＲＵの各々からのダウンリンク信号の遅延およびドップラーシフトを決定することと、遅延およびドップラーシフトにしたがって各ＲＲＵのダウンリンク信号に対して遅延および周波数の補償を実行することと、補償された信号のウィーナー係数を決定し、ウィーナー係数を使用することによってチャネル推定を実行することとを行うよう構成される。
【０１４１】
任意選択で、基地局１００１は具体的に、ＲＲＣ専用シグナリングであって、ＲＲＣ専用シグナリングにおける第１のインジケータビットは、ＵＥ１００２が無線リモートシナリオにあることを示すために使用される、ＲＲＣ専用シグナリングをＵＥ１００２に送信する、または、システムメッセージであって、システムメッセージにおける第２のインジケータビットは、ＵＥが無線リモートシナリオにあることを示すために使用される、システムメッセージをＵＥ１００２に送信するよう構成される。
【０１４２】
任意選択で、基地局１００１はさらに、ＵＥ１００２が無線リモートシナリオにあることを示す通知情報をＵＥ１００２に送信する前に、ＵＥ１００２が高速移動状態にあると決定するよう構成される。
【０１４３】
当業者であれば、本明細書において開示された実施形態において説明された例と組み合わせて、電子的ハードウェア、コンピュータソフトウェア、またはそれらの組み合わせによってユニットおよびアルゴリズムの段階が実装され得ることをさらに認識しているであろう。ハードウェアとソフトウェアとの間の互換性を明確に説明すべく、上記においては、概して、機能に応じて各例の構成および段階を説明した。機能がハードウェアで実行されるか、ソフトウェアで実行されるかは、特定の用途と技術的解決手段の設計制約条件とで決まる。当業者であれば、異なる方法を使用して、特定の用途ごとに、説明された機能を実装し得るが、そのような実装は、本発明の範囲を超えるものとみなされるべきではない。
【０１４４】
実施形態の上述の方法における段階の全部または一部が、プロセッサに命令するプログラムによって実装されてよいことを当業者は理解するであろう。プログラムは、コンピュータ可読記憶媒体に格納されてよい。記憶媒体は、ランダムアクセスメモリ、リードオンリメモリ、フラッシュメモリ、ハードディスク、ソリッドステートドライブ、磁気テープ（英語：ｍａｇｎｅｔｉｃ  ｔａｐｅ）、フロッピー（登録商標）ディスク（英語：ｆｌｏｐｐｙ（登録商標）  ｄｉｓｋ）、光ディスク（英語：ｏｐｔｉｃａｌ  ｄｉｓｃ）、またはそれらの任意の組み合わせなどの非一時的（英語：ｎｏｎ−ｔｒａｎｓｉｔｏｒｙ）媒体であってよい。
【０１４５】
上述の説明は、本発明の具体的な例示的実装に過ぎず、本発明の保護範囲を限定するようには意図されていない。本発明において開示された技術範囲内で当業者によって容易に案出されたいずれの変形または置換も、本発明の保護範囲に当然に含まれる。ゆえに、本発明の保護範囲は、特許請求の範囲の保護範囲に当然に従う。
【図１】
2018526893.tif 000036
【図２】
2018526893.tif 000037
【図３】
2018526893.tif 000038
【図４】
2018526893.tif 000039
【図５】
2018526893.tif 000040
【図６】
2018526893.tif 000041
【図７】
2018526893.tif 000042
【図８】
2018526893.tif 000043
【図９】
2018526893.tif 000044
【図１０】
2018526893.tif 000045
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
情報送信方法であって、
ユーザ機器（ＵＥ）への接続を基地局が構築する段階と、
前記ＵＥが無線リモートシナリオにあることを示す通知情報を前記ＵＥに送信する段階であって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニット（ＲＲＵ）からのダウンリンク信号が重ね合わされた後に取得される信号に対してチャネル推定を実行するために使用される、段階と
を備える方法。
【請求項２】
複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項１に記載の方法。
【請求項３】
前記ＵＥが無線リモートシナリオにあることを示す通知情報を前記ＵＥに送信する前記段階は、
無線リソース制御（ＲＲＣ）専用シグナリングを前記ＵＥに送信する段階であって、前記ＲＲＣ専用シグナリングにおける第１のインジケータビットは、前記ＵＥが前記無線リモートシナリオにあることを示すために使用される、段階、または、
システムメッセージを前記ＵＥに送信する段階であって、前記システムメッセージにおける第２のインジケータビットは、前記ＵＥが前記無線リモートシナリオにあることを示すために使用される、段階、または、
システムメッセージを前記ＵＥに送信する段階であって、前記システムメッセージは、無線リモートカバレッジセルのセル識別情報を保持する、段階
を含む、請求項１または２に記載の方法。
【請求項４】
前記ＵＥが無線リモートシナリオにあることを示す通知情報を前記ＵＥに送信する前記段階の前に、
前記ＵＥが高速移動状態にあると決定する段階
をさらに備える、請求項１から３のいずれか一項に記載の方法。
【請求項５】
チャネル推定方法であって、
通知情報をユーザ機器（ＵＥ）が受信する段階であって、前記通知情報は、前記ＵＥが無線リモートシナリオにあることを示す、段階と、
前記通知情報にしたがって、前記無線リモートシナリオに適用可能なチャネル推定アルゴリズムを使用することによってチャネル推定を実行する段階であって、前記チャネル推定アルゴリズムは、複数の無線リモートユニット（ＲＲＵ）からのダウンリンク信号が重ね合わされた後に取得される信号に対してチャネル推定を実行するために使用される、段階と
を備える方法。
【請求項６】
複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項５に記載の方法。
【請求項７】
通知情報をＵＥが受信する前記段階であって、前記通知情報は、前記ＵＥが無線リモートシナリオにあることを示す、前記段階は、
無線リソース制御（ＲＲＣ）専用シグナリングを前記ＵＥが受信する段階であって、前記ＲＲＣ専用シグナリングにおける第１のインジケータビットは、前記ＵＥが前記無線リモートシナリオにあることを示すために使用される、段階、または、
システムメッセージを前記ＵＥが受信する段階であって、前記システムメッセージにおける第２のインジケータビットは、前記ＵＥが前記無線リモートシナリオにあることを示すために使用される、段階、または、
システムメッセージを前記ＵＥが受信する段階であって、前記システムメッセージは、無線リモートカバレッジセルのセル識別情報を保持する、段階
を含む、請求項５または６に記載の方法。
【請求項８】
基地局であって、
ユーザ機器（ＵＥ）への接続を構築するように送信ユニットを制御する処理ユニットと、
さらに、前記ＵＥが無線リモートシナリオにあることを示す通知情報を前記ＵＥに送信する前記送信ユニットであって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニット（ＲＲＵ）からのダウンリンク信号が重ね合わされた後に取得される信号に対してチャネル推定を実行するために使用される、前記送信ユニットと
を備える基地局。
【請求項９】
前記送信ユニットによって示される、複数のＲＲＵからのダウンリンク信号が重ね合わされた後に取得される信号に対してチャネル推定を前記実行することは、
前記複数のＲＲＵの各々からのダウンリンク信号の遅延およびドップラーシフトを決定することと、
前記遅延および前記ドップラーシフトにしたがって各ＲＲＵの前記ダウンリンク信号に対して遅延および周波数の補償を実行することと、
補償された信号のウィーナー係数を決定し、前記ウィーナー係数を使用することによってチャネル推定を実行することと
を含む、請求項８に記載の基地局。
【請求項１０】
前記送信ユニットは具体的に、
無線リソース制御（ＲＲＣ）専用シグナリングであって、前記ＲＲＣ専用シグナリングにおける第１のインジケータビットは、前記ＵＥが前記無線リモートシナリオにあることを示すために使用される、ＲＲＣ専用シグナリングを前記ＵＥに送信する、または、
システムメッセージであって、前記システムメッセージにおける第２のインジケータビットは、前記ＵＥが前記無線リモートシナリオにあることを示すために使用される、システムメッセージを前記ＵＥに送信する、または、
無線リモートカバレッジセルのセル識別情報を保持するシステムメッセージを前記ＵＥに送信する、請求項８または９に記載の基地局。
【請求項１１】
前記処理ユニットはさらに、前記ＵＥが前記無線リモートシナリオにあることを示す前記通知情報を前記送信ユニットが前記ＵＥに送信する前に、前記ＵＥが高速移動状態にあると決定する、請求項８から１０のいずれか一項に記載の基地局。
【請求項１２】
ユーザ機器（ＵＥ）であって、
通知情報を受信する受信ユニットであって、前記通知情報は、前記ＵＥが無線リモートシナリオにあることを示す、受信ユニットと、
前記受信ユニットによって受信された前記通知情報にしたがって、前記無線リモートシナリオに適用可能なチャネル推定アルゴリズムを使用することによってチャネル推定を実行する処理ユニットであって、前記チャネル推定アルゴリズムは、複数の無線リモートユニット（ＲＲＵ）からのダウンリンク信号が重ね合わされた後に取得される信号に対してチャネル推定を実行するために使用される、処理ユニットと
を備えるＵＥ。
【請求項１３】
前記処理ユニットは具体的に、前記複数のＲＲＵの各々からのダウンリンク信号の遅延およびドップラーシフトを決定することと、前記遅延および前記ドップラーシフトにしたがって各ＲＲＵの前記ダウンリンク信号に対して遅延および周波数の補償を実行することと、補償された信号のウィーナー係数を決定し、前記ウィーナー係数を使用することによってチャネル推定を実行することとを行う、請求項１２に記載のＵＥ。
【請求項１４】
前記受信ユニットは具体的に、無線リソース制御（ＲＲＣ）専用シグナリングであって、前記ＲＲＣ専用シグナリングにおける第１のインジケータビットは、前記ＵＥが前記無線リモートシナリオにあることを示すために使用される、ＲＲＣ専用シグナリングを受信する、
または、システムメッセージであって、前記システムメッセージにおける第２のインジケータビットは、前記ＵＥが前記無線リモートシナリオにあることを示すために使用される、システムメッセージを受信する、または、
無線リモートカバレッジセルのセル識別情報を保持するシステムメッセージを受信する、請求項１２または１３に記載のＵＥ。
【請求項１５】
通信システムであって、
ユーザ機器（ＵＥ）への接続を構築し、前記ＵＥが無線リモートシナリオにあることを示す通知情報を前記ＵＥに送信する基地局であって、前記通知情報は、前記無線リモートシナリオに適用可能なチャネル推定アルゴリズムを使用することによってチャネル推定を実行するよう前記ＵＥに命令するために使用され、前記チャネル推定アルゴリズムは、複数の無線リモートユニット（ＲＲＵ）からのダウンリンク信号が重ね合わされた後に取得される信号に対してチャネル推定を実行するために使用される、基地局と、
前記ＵＥが前記無線リモートシナリオにあることを示す前記通知情報を前記基地局から受信することと、前記通知情報にしたがって、前記無線リモートシナリオに適用可能な前記チャネル推定アルゴリズムであって、前記複数のＲＲＵからの前記ダウンリンク信号が重ね合わされた後に取得される前記信号に対してチャネル推定を実行するために使用される前記チャネル推定アルゴリズムを使用することによってチャネル推定を実行することとを行う前記ＵＥと、
を備えるシステム。
【請求項１６】
前記ＵＥは具体的に、前記複数のＲＲＵの各々からのダウンリンク信号の遅延およびドップラーシフトを決定することと、前記遅延および前記ドップラーシフトにしたがって各ＲＲＵの前記ダウンリンク信号に対して遅延および周波数の補償を実行することと、補償された信号のウィーナー係数を決定し、前記ウィーナー係数を使用することによってチャネル推定を実行することとを行う、請求項１５に記載のシステム。
【請求項１７】
前記基地局は具体的に、無線リソース制御（ＲＲＣ）専用シグナリングであって、前記ＲＲＣ専用シグナリングにおける第１のインジケータビットは、前記ＵＥが前記無線リモートシナリオにあることを示すために使用される、ＲＲＣ専用シグナリングを前記ＵＥに送信する、または、
システムメッセージであって、前記システムメッセージにおける第２のインジケータビットは、前記ＵＥが前記無線リモートシナリオにあることを示すために使用される、システムメッセージを前記ＵＥに送信する、または、
無線リモートカバレッジセルのセル識別情報を保持するシステムメッセージを前記ＵＥに送信する、請求項１５または１６記載のシステム。
【請求項１８】
前記基地局はさらに、前記ＵＥが前記無線リモートシナリオにあることを示す前記通知情報を前記ＵＥに送信する前に、前記ＵＥが高速移動状態にあると決定する、請求項１５から１７のいずれか一項に記載のシステム。
【請求項１９】
コンピュータに請求項１から４のいずれか一項に記載の方法を実行させるプログラム。
【請求項２０】
コンピュータに請求項５から７のいずれか一項に記載の方法を実行させるプログラム。
【手続補正２】
【補正対象書類名】明細書
【補正対象項目名】００４９
【補正方法】変更
【補正の内容】
【００４９】
図２は、本発明の一実施形態に係る適用シナリオの概略図である。当該シナリオは無線リモートシナリオであり、無線リモートシナリオでは帯状トポロジが使用される。複数のＲＲＵがＢＢＵに取り付けられ、ＲＲＵは線路に沿って配置される。複数のＲＲＵは少なくとも２つのＲＲＵであり、ＲＲＵの数は必要に応じて設定されてよい。本図に示されるＲＲＵの数は３である。当該数は説明のための例に過ぎず、本発明の本実施形態を限定するようには意図されていない。無線リモートシナリオにおけるＢＢＵは、基地局のベースバンドユニットに相当し、ＲＲＵは、基地局の無線周波ユニットに相当する。無線リモートシナリオにおいて、複数のＲＲＵは同一の物理セルに属し、同一のセルＩＤを共有し、セル内のＵＥに同時にサービスを提供し、同一の無線信号を送信する。ＵＥ側の視点からみると、セルの半径が大幅に拡大され、高速移動プロセスにおけるＵＥのハンドオーバ数が効果的に低減され、ネットワークハンドオーバシグナリングオーバヘッドが低減され、ハンドオーバ失敗率が下がる。加えて、複数のＲＲＵはＵＥのためにダウンリンク信号を同時に送信するので、ＵＥ側において受信される信号のＳＩＮＲも大きく改善される。
【国際調査報告】
2018526893.tif 000046
2018526893.tif 000047
2018526893.tif 000048
2018526893.tif 000049